(57)【要約】【課題】家庭の台所や厨房の床に貼着する事により、従来のように汚れるたびに床を掃除する必要が無く、防汚床マットの汚染状態が容易に判断でき、環境問題をよく考慮した防汚床マットを提供すること。【解決手段】複数の防汚シート７が積層された防汚床マット８であって最下層の防汚シート７が離型紙６に粘着剤層５を介して貼り合わされ最下層の防汚シート７の上に更に他の防汚シート７がそれぞれ粘着剤層５を介して順次貼り合わされ、各防汚シート７が紙層７ａとポリプチレンテレフタレート層７ｂとが熱融着により構成されていることを特徴とする。【選択図】図１
2008048812.tif 000002
【特許請求の範囲】
【請求項１】
本発明は、紙層（７ａ）とポリプチレンテレフタレート層（７ｂ）と微小球粘着剤層（５）を一組とし、順次積層して最下層に離型紙（６）をおき構成される防汚床マット。
【請求項２】
請求項１に切り離し線（９）が入り切り離すことが出来る防汚床マット。
【発明の詳細な説明】
【技術分野】
【０００１】
本発明は防汚床マットに関し、更に詳細には防汚シートを積層構成し、且つ各防汚シートに点線状に切り込みが入り、切り離すことができ、最上層の防汚シートが汚れた時、汚れた部分のみ切り離し、順次剥がして下層の防汚シートを露出させる事により長期間に亘って新しい面が使用可能な防汚床マットに関する。
【背景技術】
【０００２】
特許公開２０００−３０１０９３については、家庭の台所や厨房の床や壁など防汚対象部位に貼着して当該部位への汚染物質の付着を防止する際、当防汚シートの汚染程度が判断しにくく、防汚シ―トに吸油性、吸水性がないため、付着した油分や水分の垂れ落ちが発生し、或一部だけが過度の汚染状態になった場合でもその部分だけの交換ができず、防汚対象部位から防汚シートを剥がし、新しい防汚シートに交換しなければならない。又、使用後廃棄する場合、構造材質から考え焼却が不可能であり、不燃ごみとなり、環境問題を考慮する一因となりうる。
【０００３】
従来、家庭の台所や厨房の床や壁など防汚対象部位に貼着して当該部位への汚染物質の付着を防止する際使用されているものとしては、単層或は三層のポリエステルフィルムの防汚シートが現存するが、いずれも防汚シートが汚れた場合、特許公開２０００−３０１０９３と同様に油分や水分の垂れ落ちが見られ、防汚シートが無色透明や銀色であるため汚染程度が判断しにくく、防汚シートの交換時期を見逃し、過度の汚染状態に至り不衛生になる可能性が高く、防汚シートの一部だけが過度の汚染状態になった場合でも、その部分だけの交換はできず、防汚シートを次の新しい防汚シートに交換しなければならない。
【０００４】
これに加え単層の防汚シートは、防汚対象部位を清掃しないかわりにこの防汚シートを清掃する必要があり、労力を要する。
【０００５】
三層のポリエステルフィルムの防汚シートは、防汚対象部位に貼着する際その防汚対象部位を水で濡らさなければならないが、防汚対象部位の材質が木材である場合使用できず、防汚対象部位が木材以外でもヘラを使って防汚対象部位と当防汚シートの間の水や空気を押し出し貼着するなど技術と労力を要する。
【０００６】
又、家庭の台所や厨房で調理する際、壁と同様それ以上に床が過度に汚染される。防汚対象部位が床で、従来の製品を床に貼着して調理作業を行なう場合、調理中に飛び散る油分や水分が防汚シートの上に吸収されずに残りその上で調理することになる。この時、調理作業の途中で防汚シートの清掃をしなくてはならなくなり、連続的作業を特徴とする調理作業の途中で防汚シートの清掃をすることはきわめて困難であることから、従来の防汚シートを床を防汚するための防汚シートとして使用することはほとんど無いようである。
【特許文献１】特許公開２０００−９０１０９３号公報
【発明の開示】
【発明が解決しようとする課題】
【０００７】
家庭或は厨房の床に貼着して当該部位への汚染物質の付着を防止する防汚床マットであって、従来のように汚れるたびに床を掃除する必要がなく、油や食物などの汚染物質などで床が汚れることを防ぎ、汚れた防汚床マットの汚れた部分のみ簡単に新しい表面に替える事ができ、防汚床マットに飛び散った油分や水分が防汚床マットに吸収され、べとつかず、防汚床マットの汚染状態が容易に判断でき低コストで環境問題やリサイクルをよく考慮した防汚床マットを提供すること。
【課題を解決するための手段】
【０００８】
複数の防汚シート７が積層された図１防汚床マット８であって最下層の防汚シート７が離型紙６に粘着剤層５を介して貼り合わされ最下層の防汚シート７の上に更に他の防汚シート７がそれぞれ粘着剤層５を介して順次貼り合わされ、各防汚シート７が紙層７ａとポリプチレンテレフタレート層７ｂとで熱融着により構成されていることを特徴とする。
【０００９】
前述した図１及び図２防汚シート７の短方向の中央に点線状に切込み９が入り、一枚の防汚シート７がその半面積のもの二枚に切り離すことが出来る。
【００１０】
前述した図１及び図２防汚シート７の表面である紙層７ａ面に風水に使われている色彩（家屋の南側に位置する場所に配する場合緑色、北側に位置する場所に配する場合桃色、西側に位置する場所に配する場合黄色、東側に位置する場所に配する場合赤色、中央に位置する場所に配する場合紫色）で絵柄を施す事ができる。
【００１１】
前述した図１及び図２防汚シート7の構成要素は、紙層７ａとポリプチレンテレフタレート層7ｂ、であるがこのポリプチレンテレフタレート層７ｂ面に微小球粘着剤層５を塗布したものを一組とし、防汚床マットから取り外し汚れが想定されるあらゆる箇所に貼着して防汚シートとして使用することが出来、紙の材料として古紙を利用することもできる。
【発明の効果】
【００１２】
家庭の台所や厨房の床に貼着することにより従来のように汚れるたびに床を掃除する必要が無く、防汚床マット８に付着した油分や水分が防汚床マットに吸収されべとつく事が無く、くり返し貼ったり剥がしたりでき相手を痛めず、防汚床マットの汚染した部分のみの交換ができ、使用後廃棄する場合焼却しても自然環境に悪影響を及ぼすことが無い、低コストで使いやすく、環境問題をよく考慮した防汚床マットを提供することができる。
【発明を実施するための最良の形態】
【００１３】
図１には本発明の一実施形態に係る防汚床マット８の層構成が概略的に示されている。この実施形態に係る防汚床マット８は、積層された３ｍｍ程度の厚さになり、図２に示した紙層７ａとポリプチレンテレフタレート層７ｂと微小球粘着剤層５を一組とし順次積層して構成され、最下層に図１で示した離型紙６が粘着剤層５を介して貼り合わされている。
【００１４】
本発明の図１防汚床マットを構成している紙層７ａとポリプチレンテレフタレート層７ｂと微小球粘着剤層５を一組として、防汚床マット８から切り離し、図２防汚シート７として単一で使用することが出来る。
【００１５】
各防汚シート７は、図２に示されるように紙層７ａとポリプチレンテレフタレート層７ｂとが熱融着により構成されポリプチレンテレフタレート層７ｂに微小球粘着剤層５が塗布されており、その短方向の中央に点線状に切込み９が入る。
【００１６】
本実施形態を構成する図１及び図２防汚シート７では、各防汚シート７の表面である紙層７ａに風水に使われている色彩で絵柄を施すことが出来る。
【００１７】
前述した実施形態では、本発明の防汚床マット８を家庭の台所やレストランなどの調理場の床に貼り付けて使用する場合についてのものであるが本発明の防汚床マット８は汚れが想定されるあらゆる箇所に貼り付けて使用することができる。
【実施例】
【００１８】
図１は本発明の一実施例を示すもので、この実施例の防汚床マット８は、紙層７ａとポリプチレンテレフタレート層７ｂとが熱融着して防汚シート７が構成され、このポリプチレンテレフタレート層７ｂに微小球粘着剤層５が塗布されたものを一組とし、順次積層して最下層に離型紙６をおき構成されている。
【００１９】
上記構成を有する図１防汚床マット８は、家庭の台所や厨房の床のような油分や水分など汚染物質が付着しやすい場所に貼着して使用する。防汚床マット８の最上層の防汚シート７に付着した油分や水分は、該防汚シート７の表面の紙層７ａに吸収され、吸収された油分がべとつくことが無く、汚染状態が容易に判断できるので防汚シート７の交換時期を見逃すことが無く衛生的であり、一枚の防汚シート７が切り込み線９で一枚の防汚シート７の半面積のもの二枚に切り離せるため汚染された部分のみの交換ができ経済的である。
【００２０】
又、図１防汚床マット８を構成している紙層７ａとポリプチレンテレフタレート層７ｂと微小球粘着剤層５とを一組切り離し家庭の台所や厨房の壁に貼着して防汚シートとして使用することが出来る。
【００２１】
次に、本発明における図１防汚床マット８の一組織である防汚シート７を壁に貼着して油分、水分が垂れ落ちすることない吸油性、吸水性の実験について説明する。実験は、本発明品のサンプルと比較例としてポリエステルフィルム、フッ素樹脂シートを挙げその結果を表１に示す。
【００２２】
【表１】
2008048812.tif 000003
【図面の簡単な説明】
【００２３】
複数の防汚シート７が積層された防汚床マット８であって、最下層の防汚シート７が離型紙６に粘着剤層５を介して貼り合わされ、最下層の防汚シート７の上に更に他の防汚シート７がそれぞれ粘着剤層５を介し順次貼り合わされ構成されており、各防汚シート７は、紙層７ａとポリプチレンテレフタレート層７ｂとが熱融着により構成されている。
【図１】防汚シート７が複数積層された防汚床マット８の断面図である。
【図２】防汚床マット８を構成する紙層７ａとポリプチレンテレフタレート層７ｂが熱融着して防汚シート７となりこのポリプチレンテレフタレート層７ｂに微小球粘着剤層５が塗布された断面図である。
【符号の説明】
【００２４】
５  微小球粘着剤層
６  離型紙
７  防汚シート
７ａ  紙層
７ｂ  ポリプチレンテレフタレート層
８  防汚床マット
９  切り離し線
【図１】
2008048812.tif 000004
【図２】
2008048812.tif 000005